(57)【要約】【課題】本発明は、包装された包装商品において、自動販売装置による販売時に、販売装置により商品の識別情報や購入者の個人情報等を容易に取得することを目的とする。【解決手段】商品と商品を識別するための識別情報を含んだ識別媒体とを包装する包装体を取り扱う包装体取扱装置は、包装体を利用者に提供する包装体提供部と、提供された包装体に含まれている識別媒体が有する識別情報と利用者を特定する特定情報とを取得する取得部と、取得部により取得された識別情報と特定情報とを関連付けて記憶する記憶部と、を備える。【選択図】図１
2009175778.tif 000002
【特許請求の範囲】
【請求項１】
商品と前記商品を識別するための識別情報を含んだ識別媒体とを包装する包装体を取り扱う包装体取扱装置であって、
前記包装体を利用者に提供する包装体提供部と、
提供された前記包装体に含まれている前記識別媒体が有する前記識別情報と前記利用者を特定する特定情報とを取得する取得部と、
前記取得部により取得された前記識別情報と前記特定情報とを関連付けて記憶する記憶部と、を備える包装体取扱装置。
【請求項２】
請求項１に記載の包装体取扱装置はさらに、
前記包装体の購入に用いる取引媒体を取得する媒体取得部と、
前記取引媒体に基づき精算処理を実行する精算部と、
前記記憶部が前記識別情報と前記特定情報とを記憶した後に、前記取引媒体または前記精算処理において選択された返還用取引媒体を返却する返却部と、を備える包装体取扱装置。
【請求項３】
請求項１または請求項２に記載の包装体取扱装置において、
前記取得部は読取手段を備え、前記識別媒体に記録された識別情報を前記読取手段により読み取ることにより前記識別情報を取得する包装体取扱装置。
【請求項４】
請求項１または請求項２に記載の包装体取扱装置において、
前記取得部は入力手段を備え、前記入力手段から前記識別媒体に基づいて入力された識別情報を取得する包装体取扱装置。
【請求項５】
請求項１ないし請求項４のいずれに記載の包装体取扱装置はさらに、
前記取得部が前記識別情報と前記特定情報とを取得するための手順を示す案内部を備える包装体取扱装置。
【請求項６】
請求項１ないし請求項５のいずれに記載の包装体取扱装置はさらに、
前記記憶部が前記識別情報と前記特定情報とを記憶した後に、取引の明細書を発行する発行部を備える包装体取扱装置。
【請求項７】
請求項１ないし請求項６のいずれに記載の包装体取扱装置において、
前記商品はトラベラーズチェック、宝くじ、小切手、または商品券のいずれかである包装体取扱装置。
【請求項８】
商品と前記商品を識別するための識別情報を含んだ識別媒体とを包装する包装体の取扱方法であって、
前記包装体を利用者に提供する工程と、
提供された前記包装体に含まれている前記識別媒体が有する前記識別情報と前記利用者を特定する特定情報とを取得する工程と、
取得された前記識別情報と前記特定情報とを関連付けて記憶する工程と、を備える包装体の取扱方法。
【請求項９】
商品と前記商品を識別するための識別情報を含んだ識別媒体とを包装する包装体を取り扱う包装体取扱装置であって、
前記包装体を利用者に提供する包装体提供部と、
提供された前記包装体に含まれている前記識別媒体および前記利用者を特定する特定情報を含む情報媒体を取り込む取込部と、
前記取込部により取り込まれた前記識別媒体および前記情報媒体を格納する格納部と、を備える包装体取扱装置。
【請求項１０】
商品と前記商品を識別するための識別情報を含んだ識別媒体とを包装する包装体の取扱方法であって、
前記包装体を利用者に提供する工程と、
提供された前記包装体に含まれている前記識別媒体および前記利用者を特定する特定情報を含む情報媒体を取り込む工程と、
取り込まれた前記識別媒体および前記情報媒体を格納する工程と、を備える包装体の取扱方法。
【発明の詳細な説明】
【技術分野】
【０００１】
本発明は、包装体取扱装置に関する。
【背景技術】
【０００２】
従来から、トラベラーズチェック（旅行小切手）等の商品が自動販売装置により販売されている。これらの商品の中には、例えば紛失した際に再発行を可能とするために、購入後、商品の識別情報や購入者の個人情報を販売者側に登録することがある。この登録業務の軽減化を図るために、これらの情報の登録の一部もしくは全部を、商品を販売した装置に実施させる技術が知られている。例えば、購入者の署名を取得する手段を備えることで、署名の登録業務を自動化させたものが知られている（特許文献１）。また、トラベラーズチェックの識別情報を購入者に引き渡す際に読み取り、購入者の個人情報を入力手段から入力させる技術が知られている（特許文献２）。また、情報を読み取る装置に関する技術としてほかに、契約書に記入不備があった場合に不備を検出する技術や（特許文献３）、装置内に搬送、読み取り、印字処理された後の購入申込書を自動的に収納する装置が知られている（特許文献４）。
【０００３】
【特許文献１】特開平７−１５２８４５号公報
【特許文献２】特開２００３−１８７３０４号公報
【特許文献３】特開２０００−１３２５９０号公報
【特許文献４】特開平９−３５０９４号公報
【発明の開示】
【発明が解決しようとする課題】
【０００４】
しかし、装置に署名の登録業務を実施させる技術、契約書の記載不備を検出する技術、購入申込書の搬送、読み取り、印字処理をおこなう技術を用いても、識別情報等の登録業務の一部を自動化できるにすぎず、依然窓口での業務が必要であった。また、商品を購入者に引き渡す際に識別情報の読み取りを実施する技術では、トラベラーズチェック等の商品や商品の識別情報が封筒等の包装体に包装されている場合に、識別情報を外部から読み取ることができず、包装体に透明な窓を設けても、識別情報を読み取ることが困難な場合があった。このことから、包装された商品において、自動販売装置による商品の販売時に、販売装置自体により商品の識別情報や購入者の個人情報等を取得することは容易ではなかった。
【０００５】
本発明は、上記した従来の課題の少なくとも一部を解決するためになされた発明であり、包装された包装商品において、自動販売装置による販売時に、販売装置により商品の識別情報や購入者の個人情報等を容易に取得することを目的とする。
【課題を解決するための手段】
【０００６】
上記課題の少なくとも一部を解決するために本願発明は以下の態様を採る。
【０００７】
本発明の第１の態様は、商品と前記商品を識別するための識別情報を含んだ識別媒体とを包装する包装体を取り扱う包装体取扱装置を提供する。本発明の第１の態様に係る包装体取扱装置は、前記包装体を利用者に提供する包装体提供部と、提供された前記包装体に含まれている前記識別媒体が有する前記識別情報と前記利用者を特定する特定情報とを取得する取得部と、前記取得部により取得された前記識別情報と前記特定情報とを関連付けて記憶する記憶部と、を備える。
【０００８】
本発明の第１の態様に係る包装体取扱装置によれば、包装体を利用者に提供することで、利用者を介して、取得部は商品の識別情報および利用者の特定情報（以下この２つの情報をまとめて「必要情報」という）を取得することができる。これによって包装体取扱装置は商品の販売時に必要情報を容易に取得することがきる。
【０００９】
本発明の第１の態様に係る包装体取扱装置はさらに、前記包装体の購入に用いる取引媒体を取得する媒体取得部と、前記取引媒体に基づき精算処理を実行する精算部と、前記記憶部が前記識別情報と前記特定情報とを記憶した後に、前記取引媒体または前記精算処理において選択された返還用取引媒体を返却する返却部と、を備えてもよい。この場合、包装体取扱装置が必要情報を取得しないと、取引媒体または返還用取引媒体を返却しないため、利用者を介して、包装体取扱装置は容易に必要情報を取得することができる。
【００１０】
本発明の第１の態様に係る包装体取扱装置において、前記取得部は読取手段を備え、前記識別媒体に記録された識別情報を前記読取手段により読み取ることにより前記識別情報を取得してもよい。この場合、包装体取扱装置は読み取り手段を介して容易に商品の識別情報を取得することができる。
【００１１】
本発明の第１の態様に係る包装体取扱装置において、前記取得部は入力手段を備え、前記入力手段から前記識別媒体に基づいて入力された識別情報を取得してもよい。この場合、包装体取扱装置は入力手段を介して容易に商品の識別情報を取得することができる。
【００１２】
本発明の第１の態様に係る包装体取扱装置はさらに、前記取得部が前記識別情報と前記特定情報とを取得するための手順を示す案内部を備えてもよい。この場合、案内部が示す手順により、利用者を介して、包装体取扱装置は容易に必要情報を取得することができる。
【００１３】
本発明の第１の態様に係る包装体取扱装置はさらに、前記記憶部が前記識別情報と前記特定情報とを記憶した後に、取引の明細書を発行する発行部を備えてもよい。この場合、包装体取扱装置が必要情報を取得しないと、明細書を発行しないため、利用者を介して、包装体取扱装置は容易に必要情報を取得することができる。
【００１４】
本発明の第１の態様に係る包装体取扱装置において、前記商品はトラベラーズチェック、宝くじ、小切手、または商品券のいずれかであってもよい。この場合、包装体取扱装置は、包装されたトラベラーズチェック、宝くじ、小切手、または商品券における必要情報を容易に取得することができる。
【００１５】
本発明の第２の態様に係る包装体取扱装置は、包装体を利用者に提供する包装体提供部と、提供された前記包装体に含まれている前記識別媒体および前記利用者を特定する特定情報を含む情報媒体を取り込む取込部と、前記取込部により取り込まれた前記識別媒体および前記情報媒体を格納する格納部と、を備える。
【００１６】
本発明の第２の態様に係る包装体取扱装置によれば、包装体を利用者に提供することで、利用者を介して、前記識別媒体および前記情報媒体を取り込むができ、格納部は２つの媒体を格納することができる。これによって包装体取扱装置は商品の販売時に必要情報を容易に取得することがきる。
【００１７】
本発明は、上記以外の種々の態様で、実現可能であり、例えば、商品と商品を識別するための識別情報を含んだ識別媒体とを包装する包装体の取扱方法、または包装体を取り扱うコンピュータプログラムなどの形態で実現することが可能である。
【発明を実施するための最良の形態】
【００１８】
以下、本発明に係る紙葉類取扱装置について、図面を参照しつつ、実施例に基づいて説明する。
【００１９】
Ａ．第１の実施例
Ａ１．外貨自動両替装置の外部構成：
図１は、本発明の一実施例としての外貨自動両替装置の外観を示した説明図である。この外貨自動両替装置１００は、銀行や空港などに設置され、利用者の操作に応じて外貨の両替、トラベラーズチェックの発行を行うための装置である。外貨自動両替装置１００は、図に示すとおり、装置外面１１０上にタッチパネル１１１と、紙幣出入口１１２と、硬貨出入口１１３と、Ｔ／Ｃ取出口１１４と、購入契約書回収口１１５と、明細書取出口１１６と、を備える。
【００２０】
タッチパネル１１１は、利用者にトラベラーズチェックの購入手順等を表示するほか、利用者が希望するトラベラーズチェックの購入枚数や種類等についての入力操作をおこなうためのインターフェイスである。本実施例ではタッチパネルを用いたが、ディスプレイと押しボタン等による構成としてもよい。紙幣出入口１１２は、利用者がトラベラーズチェックを購入する際に、利用者から紙幣を受け取り、受け取った紙幣と購入するトラベラーズチェックから外貨自動両替装置１００が精算処理した後の紙幣のおつりを利用者に引き渡す。硬貨出入口１１３は、紙幣出入口１１２と同様に、利用者がトラベラーズチェックを購入する際に、利用者から硬貨を受け取り、硬貨のおつりを利用者に引き渡す。なお、本実施例では硬貨出入口１１３は硬貨の受取りを可能としたが、おつりの引き渡しのみが可能であってもよい。Ｔ／Ｃ取出口１１４は、後述する包装体に包装されたトラベラーズチェックの利用者への引き渡しをおこなう。購入契約書回収口１１５は後述する購入契約書を利用者から回収する。明細書取出口１１６はトラベラーズチェックの購入に伴う明細書を利用者に提供する。
【００２１】
Ａ２．外貨自動両替装置の内部構成：
図２は、第１の実施例に係る外貨自動両替装置の内部構成を示したブロック図である。外貨自動両替装置１００は、主制御部１２０と、利用者操作部１２１と、紙幣取扱部１２２と、硬貨取扱部１２３と、Ｔ／Ｃ取扱部１２４と、契約書取扱部１２５と、明細書発行部１２６とを備える。
【００２２】
主制御部１２０は図示しないＲＯＭやＲＡＭからなるメモリと、中央演算装置であるＣＰＵと、ハードディスクなどの記憶装置とを備える。主制御部１２０はメモリに格納されたプログラムをＣＰＵが実行することで外貨自動両替装置１００の各部を制御する。主制御部１２０は外貨自動両替装置１００の各部から取得されたデータを記憶装置に格納する。また、主制御部１２０は画像データのＯＣＲ処理をおこなうほか、利用者から取得した取引媒体に基づき精算処理を実行する。本実施例では主制御部１２０の構成をソフトウエア的に示したが、集積回路などにより、ハードウエア的に実施することもできる。主制御部１２０は特許請求の範囲における記憶部および精算部に該当する。
【００２３】
利用者操作部１２１は、タッチパネル１１１と、図示しないメモリと、ＣＰＵとを備える。利用者操作部１２１はタッチパネル１１１から利用者の入力情報を取得し、主制御部１２０に送信するほか、主制御部１２０からの命令を受け、タッチパネル１１１に、例えば装置の操作方法の手順等を表示する。利用者操作部１２１は特許請求の範囲における案内部に該当する。
【００２４】
紙幣取扱部１２２は、紙幣出入口１１２と、図示しない紙幣搬送路と、紙幣カセットと、紙幣鑑別センサとを備える。紙幣搬送路は搬送ベルトや駆動モータにより紙幣出入口１１２と紙幣カセットとの間で紙幣の搬送をおこなう。紙幣カセット紙幣の金種ごとに備えられ、各紙幣カセットにおいて紙幣を積層して格納する。紙幣鑑別センサは搬送路上を搬送される紙幣の額面に関する情報を取得する。紙幣取扱部１２２は利用者がトラベラーズチェックを購入する際に紙幣出入口１１２から紙幣を受け取り、その額面情報を主制御部１２０に送信するほか、主制御部１２０が精算処理により算出した紙幣のおつりを紙幣出入口１１２から排出する。
【００２５】
硬貨取扱部１２３は、硬貨出入口１１３と、図示しない硬貨搬送路と、硬貨カセットと硬貨鑑別センサとを備える。硬貨搬送路は搬送ベルトや駆動モータにより硬貨出入口１１３と硬貨カセットとの間で硬貨の搬送をおこなう。硬貨カセットは硬貨を金種ごとに格納する。硬貨鑑別センサは搬送路上を搬送される硬貨の額面に関する情報を取得する。硬貨取扱部１２３は利用者がトラベラーズチェックを購入する際に硬貨出入口１１３から硬貨を受け取り、その額面情報を主制御部１２０に送信するほか、主制御部１２０が精算処理により算出した硬貨のおつりを硬貨出入口１１３から排出する。紙幣取扱部１２２および硬貨取扱部１２３はそれぞれが特許請求の範囲における媒体取得部と返却部に該当する。
【００２６】
Ｔ／Ｃ取扱部１２４は、Ｔ／Ｃ取出口１１４と、図示しないＴ／Ｃ搬送部と、Ｔ／Ｃスタッカとを備える。Ｔ／Ｃ搬送部は後述する包装体を、例えば吸着パットにより吸着してＴ／ＣスタッカからＴ／Ｃ取出口１１４へ搬送する。Ｔ／Ｃスタッカは種別の異なる包装体を種別ごとに積層させて格納する。Ｔ／Ｃ取扱部１２４は、主制御部１２０からの命令を受け、Ｔ／Ｃスタッカに格納された包装体をＴ／Ｃ取出口１１４から排出する。Ｔ／Ｃ取扱部１２４は、特許請求の範囲における包装体提供部に該当する。
【００２７】
契約書取扱部１２５は、購入契約書回収口１１５と、図示しないスキャナと、契約書格納部とを備える。契約書取扱部１２５はスキャナにより購入契約書回収口１１５に投下された購入契約書の画像データの取得をおこなう。購入契約書については後に詳述する。契約書格納部は投下された購入契約書を積層させて格納する。本実施例では契約書取扱部１２５はスキャナを備える構成としたが、購入契約書に記載されたバーコード、もしくは契約書が備えるＩＤタグから情報を取得するリーダとして構成することも可能である。契約書取扱部１２５は特許請求の範囲における取得部に該当する。
【００２８】
明細書発行部１２６は、明細書取出口１１６と、図示しない印字部とを備える。明細書発行部１２６は印字部により印字処理された明細書を明細書取出口１１６から排出する。明細書発行部１２６は特許請求の範囲において発行部に該当する。
【００２９】
Ａ３．包装体の構成：
図３は実施例に係る包装体の模式図である。本実施例における外貨自動両替装置１００は、１ないし２枚以上のトラベラーズチェックを封筒等の包装体により包装した状態で取り扱う。包装体２００は紙製の袋体であり、側面にトレーシングペーパーやグラシン紙等の半透明紙による窓部２０２を備える。包装体には後述する購入契約書が同封され、窓部２０２から同封された購入契約書が確認可能となっている。
【００３０】
図４は購入契約書およびトラベラーズチェックの模式図である。購入契約書２１０は、トラベラーズチェックの紛失時に再発行を可能とするため、包装体２００に同封されているトラベラーズチェックを識別するための情報（以後「Ｔ／Ｃ識別情報」という）や購入者を特定するための情報（以後「購入者特定情報」という）等を記録する書面である。購入契約書２１０は購入者特定情報記載欄２１２およびＴ／Ｃ識別情報２１４を備える。購入者特定情報記載欄２１２は購入者が、氏名、住所、電話番号等の購入者特定情報を記入可能な欄である。本実施例においては氏名、住所、電話番号を記入する欄を備えるが、購入者を特定可能な情報であれば、誕生日、性別等他の情報を記入する欄であってもよい。Ｔ／Ｃ識別情報２１４は、数字や文字等により構成される。Ｔ／Ｃ識別情報２１４は包装体２００に同封された複数のトラベラーズチェックで共通した一つの識別情報としてもよいし、トラベラーズチェックごとに備えられた識別情報であってもよい。実施例では数字と文字による識別情報としたが、バーコードやＩＤタグ等であってもよい。
【００３１】
本実施例におけるトラベラーズチェック２２０は１００ドルに限るものではなく、１０ドル、５０ドルであってもよいし、円であってもよい。本実施例による外貨自動両替装置１００は、図示の２００ドル分のトラベラーズチェック２２０が包装された包装体２００のみではなく、他に１００ドル分や５００ドル分等種々のトラベラーズチェックを包装した包装体を取り扱うことが可能である。また、本発明は取り扱う券類をトラベラーズチェックの他に、宝くじ、小切手、商品券その他の有価証券としても実施できる。
【００３２】
Ａ４．外貨自動両替装置の動作：
本実施例に係る外貨自動両替装置１００の動作について説明する。図５は第１の実施例に係る外貨自動両替装置の動作を示したフローチャートである。外貨自動両替装置１００の主制御部１２０は、利用者によるタッチパネル１１１からの入力によりトラベラーズチェックの種別（ドル建て、円建て等）や額面等に関する情報（以下「選択情報」という）を取得する（ステップＳ１００）。
【００３３】
主制御部１２０は、取得した選択情報に基づき、利用者が購入するために必要な金額を計算し、タッチパネル１１１に金額を表示する。利用者により紙幣出入口１１２に紙幣が投下されると、主制御部１２０は投下された紙幣の額面を判別し、選択情報と投下された紙幣の額面からおつりを算出する（ステップＳ１１０）。
【００３４】
主制御部１２０は、選択情報に基づき、利用者が希望するトラベラーズチェックが包装された包装体２００をＴ／Ｃ取出口１１４から排出する（ステップＳ１２０）。利用者がＴ／Ｃ取出口１１４から包装体２００を受け取ると（ステップＳ１２０：ＹＥＳ）、主制御部１２０はタッチパネル１１１に購入者特定情報を取得するための案内を表示する（ステップＳ１３０）。
【００３５】
購入者特定情報を取得するための案内とは、例えば、Ｔ／Ｃ取出口１１４から取り出された包装体２００から購入契約書２１０を取り出すように促す案内や、購入契約書２１０に購入者特定情報を記入するように促す案内や、購入者特定情報を記入された購入契約書２１０を購入契約書回収口１１５に提出するように促す案内を含む。
【００３６】
主制御部１２０はこれらの案内に基づき、購入契約書２１０が投下されたことを検知すると（ステップＳ１４０：ＹＥＳ）、購入契約書２１０から購入者特定情報およびＴ／Ｃ識別情報を読み取る（ステップＳ１５０）。具体的には、主制御部１２０はスキャナにより購入契約書２１０における購入者特定情報およびＴ／Ｃ識別情報が記載された領域の画像データを取得する。主制御部１２０は取得した画像データをＯＣＲ処理することにより購入者特定情報およびＴ／Ｃ識別情報を取得する。
【００３７】
主制御部１２０は購入契約書２１０から読み取った購入者特定情報およびＴ／Ｃ識別情報が適切かどうか判別する（ステップＳ１６０）。具体的には、購入者特定情報記載欄２１２に記載された氏名や住所など購入者特定情報として必要な情報がすべて取得されたか否かについて判定し、また、読み取られたＴ／Ｃ識別情報を構成する文字や記号について必要な文字数もしくは桁数等が取得されているか否かについて判別する。
【００３８】
主制御部１２０は記載内容が適切ではないと判別した場合（ステップＳ１６０：ＮＯ）、最初に購入契約書を読み取った時点からの経過時間と、記録内容が適切でないと繰り返し判別した回数が所定時間、所定回数未満であるか否かを判断する（ステップＳ１７０）。
【００３９】
主制御部１２０は上記経過時間および繰り返し回数が所定未満であると判断した場合（ステップＳ１７０：ＮＯ）、投下された購入契約書２１０を再度、購入契約書回収口１１５から排出し、適切でない部分についての修正依頼をタッチパネル１１１に表示する。主制御部１２０は利用者により修正された購入契約書２１０を再度、購入契約書回収口１１５から取得し、同様の処理をおこなう。
【００４０】
主制御部１２０は上記経過時間および繰り返し回数が所定以上であると判断した場合（ステップＳ１７０：ＹＥＳ）、例えば、専用線やブザー等、図示しない外部連絡手段により係員への連絡をおこなう（ステップＳ１７２）。外貨自動両替装置１００は係員による操作により不具合を修正して取引処理を完了させることができる。
【００４１】
主制御部１２０は記載内容が適切であると判別した場合（ステップＳ１６０：ＹＥＳ）、購入者特定情報およびＴ／Ｃ識別情報を対応付けて記憶する（ステップＳ１８０）。図６は購入者特定情報およびＴ／Ｃ識別情報を対応づけたテーブルの模式図である。テーブルＤＴはＴ／Ｃ識別情報ごとに購入者の氏名、住所、電話番号等の購入者特定情報が登録されている。本実施例において、主制御部１２０は購入者特定情報およびＴ／Ｃ識別情報をテーブルＤＴにより対応付けている。本実施例では対応付けをテーブルＤＴにより実施しているが、対応付けの方法はこれに限られず、Ｔ／Ｃ識別情報から購入者特定情報が特定できるものであれば、例えば共通の識別子を用いる等他の方法であってもよい。
【００４２】
主制御部１２０は購入者特定情報およびＴ／Ｃ識別情報を対応付けて記憶した後に硬貨出入口１１３からおつりを排出し、また、明細書を明細書取出口１１６から排出する（ステップＳ１９０）。具体的には、主制御部１２０は硬貨カセットに格納された硬貨からおつりとして必要な金種、枚数を硬貨出入口１１３へ搬送する。また、主制御部１２０は、購入されたトラベラーズチェックの種別、枚数や、投下された紙幣の額面、おつり等の取引の結果を印字して明細書を作成し、明細書取出口１１６から排出する。
【００４３】
以上の第１の実施例に係る外貨自動両替装置によれば、利用者により包装体２００から取り出された購入契約書２１０を回収して購入者特定情報およびＴ／Ｃ識別情報を取得することから、購入契約書が包装体に包装されていても容易に購入者特定情報およびＴ／Ｃ識別情報を取得することができる。
【００４４】
第１の実施例に係る外貨自動両替装置によれば、購入契約書２１０を直接スキャニングし、ＯＣＲ処理することで、購入者特定情報およびＴ／Ｃ識別情報の読み取りをおこなう。そのため、窓部２０２を介して購入者特定情報およびＴ／Ｃ識別情報の読み取りをおこなう場合と異なり、情報が窓部２０２からはずれる可能性を低減でき、容易に購入者特定情報およびＴ／Ｃ識別情報を取得することができる。
【００４５】
第１の実施例に係る外貨自動両替装置によれば、利用者に購入者特定情報を購入契約書２１０に記入することや、購入契約書回収口１１５に購入契約書２１０を提出することを案内表示することから、利用者を介して容易に購入者特定情報およびＴ／Ｃ識別情報を取得することができる。
【００４６】
第１の実施例に係る外貨自動両替装置によれば、購入契約書２１０を回収した後におつりと明細書を発行している。これにより、利用者が購入契約書２１０を購入契約書回収口１１５に投下し、利用者を介して容易に購入者特定情報およびＴ／Ｃ識別情報を取得することができる。
【００４７】
第１の実施例に係る外貨自動両替装置によれば、購入契約書２１０から読み取った購入者特定情報およびＴ／Ｃ識別情報が適切かどうか判別している。これにより適切ではない情報を取得した状態で処理が完了することを防止できる。
【００４８】
第１の実施例に係る外貨自動両替装置によれば、購入契約書２１０から読み取った購入者特定情報およびＴ／Ｃ識別情報が適切ではないと判別した際に、さらに、最初に購入契約書を読み取った時点からの経過時間と記録内容が適切でないと繰り返し判断した回数が所定時間、所定回数未満であるか否かを判断している。これにより、購入契約書２１０の記録内容や購入契約書２１０自体の不具合等により外貨自動両替装置の処理が完了しなくなることを防止できる。
【００４９】
Ｂ．第２の実施例：
第２の実施例の実施例に係る外貨自動両替装置１００について説明する。第２の実施例に係る外貨自動両替装置１００は購入契約書を格納することで購入者特定情報およびＴ／Ｃ識別情報を取得する。図７は第２の実施例に係る外貨自動両替装置の内部構成を示したブロック図である。第２の実施例において第１の実施例と同一の符号を付した構成要素は、第１の実施例の各構成要素と同一の機能を有する。
【００５０】
第２の実施例に係る外貨自動両替装置１００は、主制御部１２０と、利用者操作部１２１と、紙幣取扱部１２２と、硬貨取扱部１２３と、Ｔ／Ｃ取扱部１２４と、契約書格納部１２５ｂと、明細書発行部１２６とを備える。契約書格納部１２５ｂは、装置外面１１０上に配置された図示しない購入契約書取込口と、外貨自動両替装置１００内部に格納部と、搬送路と、センサとを備える。契約書格納部１２５ｂは、契約書取込口から購入契約書２１０を取り込み、搬送路により格納部へ搬送し、格納部で積層させて格納する。センサは格納部近傍に配置され、購入契約書２１０が格納部に格納されたことを検知し、主制御部１２０に転送する。契約書格納部１２５ｂは、特許請求の範囲における取込部および格納部に該当する。
【００５１】
図８は第２の実施例に係る外貨自動両替装置の動作を示したフローチャートである。第２の実施例において第１の実施例と同一の符号を付したステップは、第１の実施例と同様の動作であるため説明を省略する。主制御部１２０は契約書取込口に投下された購入契約書２１０を搬送路により格納部へ搬送する。主制御部１２０は搬送された購入契約書２１０についてスキューやシフト状態であるか否を判定し、格納部に格納可能か否かを判断する（ステップＳ２５０）。
【００５２】
主制御部１２０は購入契約書２１０が格納部に格納できないと判断した場合（ステップＳ２５０：ＮＯ）、既述の所定時間、所定回数により購入契約書２１０の排出もしくは係員の呼び出し等の処理をおこなう（ステップＳ１７０〜１７２）。
【００５３】
主制御部１２０は購入契約書２１０が格納部に格納できると判断した場合（ステップＳ２５０：ＹＥＳ）、購入契約書２１０を格納部で積層させて格納する（ステップＳ２８０）。主制御部１２０は格納部近傍に設置されたセンサにより購入契約書２１０が格納部に格納されたことを検知した後に、硬貨出入口１１３からおつりを排出する。また、明細書を作成し、明細書取出口１１６から明細書を排出する（ステップＳ１９０）。
【００５４】
第２の実施例に係る外貨自動両替装置によれば、購入者特定情報およびＴ／Ｃ識別情報が記録された購入契約書を格納することで、容易に購入者特定情報およびＴ／Ｃ識別情報を取得することができる。
【００５５】
第２の実施例に係る外貨自動両替装置によれば、購入契約書２１０が格納されたことを検知した後に、おつりをおよび明細書を排出している。これにより、利用者が購入契約書２１０を投下し、利用者を介して容易に購入者特定情報およびＴ／Ｃ識別情報を取得することができる。
【００５６】
第２の実施例に係る外貨自動両替装置によれば、購入契約書取込口から搬送された購入契約書２１０についてスキューやシフト状態であるか否の判定をおこなっている。このため、外貨自動両替装置内部で購入契約書２１０がジャム状態となることを防止できるほか、格納部に適正に格納することができる。
【００５７】
Ｃ．第３の実施例：
第３の実施例に係る外貨自動両替装置１００について説明する。第３の実施例に係る外貨自動両替装置１００はキャッシュカードの取扱が可能であり、また、音声により利用者に操作方法の案内をおこなう。また、Ｔ／Ｃ識別情報をタッチパネル１１１から取得する。図９は第３の実施例に係る外貨自動両替装置の内部構成を示したブロック図である。第３の実施例において第１の実施例と同一の符号を有する各構成要素は、第１の実施例の各構成要素と同一の機能を有する。
【００５８】
第３の実施例に係る外貨自動両替装置１００は、主制御部１２０と、利用者操作部１２１と、Ｔ／Ｃ取扱部１２４と、契約書取扱部１２５と、明細書発行部１２６と、カード取扱部１２７ｃと、音声案内部１２８ｃと、通信部１２９ｃとを備える。カード取扱部１２７ｃはキャッシュカード等の磁気ストライプカードに記録された金融機関番号や口座番号のほか購入者特定情報を読み取る。カード取扱部１２７ｃは特許請求の範囲における媒体取得部と返却部に該当する。音声案内部１２８ｃはスピーカであり、購入者に外貨自動両替装置１００の操作方法を音声で案内する。音声案内部１２８ｃ特許請求の範囲における案内部に該当する。通信部１２９ｃは専用回線４００を介してホストコンピュータ３００と情報のやりとりをおこなう。
【００５９】
図１０は第３の実施例に係る外貨自動両替装置の動作を示したフローチャートである。第３の実施例において第１の実施例と同一の符号を付したステップは、第１の実施例と同様の動作であるため説明を省略する。主制御部１２０はキャッシュカードを取得する（ステップＳ３１０）。主制御部１２０は購入者特定情報をキャッシュカードが備える情報に基づいてホストコンピュータ３００から取得する。
【００６０】
主制御部１２０は、音声によりまたはタッチパネル１１１に表示することにより、利用者にＴ／Ｃ識別情報を入力するように促す。（ステップＳ１３０）。利用者は、包装体２００に格納されていた購入契約書２１０に記載されているＴ／Ｃ識別情報を参照し、タッチパネル１１１により情報の入力をおこなう。主制御部１２０はＴ／Ｃ識別情報が入力されたことを検知すると（ステップＳ３４０）、入力されたＴ／Ｃ識別情報について内容が適切か否かを判別する（ステップＳ３６０）。Ｔ／Ｃ識別情報が適切か否かの判別は、Ｔ／Ｃ識別情報を構成する文字や記号について必要な文字数もしくは桁数等が取得されているか否かによっておこなう。
【００６１】
主制御部１２０は入力されたＴ／Ｃ識別情報が適切ではないと判別した場合（ステップＳ３６０：ＮＯ）、既述の所定時間、所定回数により係員の呼び出し等の処理をおこなう（ステップＳ１７０、１７２）。
【００６２】
主制御部１２０は入力されたＴ／Ｃ識別情報が適切であると判別した場合（ステップＳ３６０：ＹＥＳ）、Ｔ／Ｃ識別情報と購入者特定情報とを対応付けて記憶する（ステップＳ３８０）。主制御部１２０は購入者特定情報およびＴ／Ｃ識別情報を対応付けて記憶した後にキャッシュカードを排出し、また、明細書を明細書取出口１１６から排出する（ステップＳ３９０）。
【００６３】
第３の実施例に係る外貨自動両替装置によれば、本発明によるトラベラーズチェックの購入はキャッシュカードでおこなってもよい。この場合であっても、購入者特定情報およびＴ／Ｃ識別情報を取得した後にキャッシュカードを返却することから、利用者を介して容易に購入者特定情報およびＴ／Ｃ識別情報を取得することができる。
【００６４】
第３の実施例に係る外貨自動両替装置によれば、購入者特定情報は予めホストコンピュータに記録されていた情報であってもよい。この場合には、ホストコンピュータに記録された購入者特定情報を容易に取得することができる。
【００６５】
第３の実施例に係る外貨自動両替装置によれば、購入者への案内は音声によって実施してもよい。音声により購入契約書回収口１１５に購入契約書２１０を提出することを案内することから、利用者を介して容易にＴ／Ｃ識別情報を取得することができる。
【００６６】
第３の実施例に係る外貨自動両替装置によれば、Ｔ／Ｃ識別情報はタッチパネル１１１により入力されてもよい。この場合であっても、利用者を介して容易にＴ／Ｃ識別情報を取得することができる。
【００６７】
Ｄ．変形例
本発明は、その趣旨を逸脱しない範囲において種々の態様で実施可能である。
【００６８】
Ｄ１．変形例１：
第１の実施例では、主制御部１２０はＯＣＲ処理により情報を取得するとしたが、購入契約書２１０に記入された署名や印影を画像データとして記憶し、購入者特定情報として取り扱う装置としても実現可能である。
【００６９】
Ｄ２．変形例２：
第１の実施例では、外貨自動両替装置１００は購入契約書２１０から購入者特定情報およびＴ／Ｃ識別情報を取得していたが、購入者によりタッチパネル１１１から情報を入力する装置としても実現可能である。
【００７０】
Ｄ３．変形例３：
第２の実施例では、契約書格納部１２５ｂに回収された購入契約書２１０についてスキューやシフト状態であるか否のみを判定していたが、購入者特定情報およびＴ／Ｃ識別情報が記載されているかについて検知する機能を備えてもよい。
【００７１】
Ｄ４．変形例４：
第１の実施例では、外貨自動両替装置１００は紙幣を取得することでトラベラーズチェックを購入していたが、硬貨を取得することによっても購入可能としてもよい。また、おつりは硬貨ではなく紙幣であってもよい。
【００７２】
Ｄ５．変形例５：
本実施例では購入者特定情報およびＴ／Ｃ識別情報は購入契約書２１０に備えられているが、トラベラーズチェック自体に上記情報の少なくとも一部が備えられていてもよい。
【００７３】
Ｄ６．変形例６：
本実施例では包装体２００は窓部２０２を備えるとしたが、外貨自動両替装置１００が取り扱う包装体２００は窓部２０２を備えなくてもよい。
【００７４】
Ｄ７．変形例７：
第３の実施例では、キャッシュカードによりトラベラーズチェックの購入をおこなっているが、購入者特定情報が取得可能であればクレジットカードなど他のカードであってもよい。
【００７５】
上記以外の種々の態様で、実現可能であり、例えば、商品と商品を識別するための識別媒体とを包装する包装体の取扱方法、または包装体を取り扱うコンピュータプログラムなどの形態で実現することが可能である。
【図面の簡単な説明】
【００７６】
【図１】本発明の一実施例としての外貨自動両替装置の外観を示した説明図である。
【図２】第１の実施例に係る外貨自動両替装置の内部構成を示したブロック図である。
【図３】実施例に係る包装体の模式図である。
【図４】購入契約書およびトラベラーズチェックの模式図である。
【図５】第１の実施例に係る外貨自動両替装置の動作を示したフローチャートである。
【図６】購入者特定情報およびＴ／Ｃ識別情報を対応づけたテーブルの模式図である。
【図７】第２の実施例に係る外貨自動両替装置の内部構成を示したブロック図である。
【図８】第２の実施例に係る外貨自動両替装置の動作を示したフローチャートである。
【図９】第３の実施例に係る外貨自動両替装置の内部構成を示したブロック図である。
【図１０】第３の実施例に係る外貨自動両替装置の動作を示したフローチャートである。
【符号の説明】
【００７７】
１００…外貨自動両替装置
１１１…タッチパネル
１１２…紙幣出入口
１１３…硬貨出入口
１１４…Ｔ／Ｃ取出口
１１５…購入契約書回収口
１１６…明細書取出口
１２０…主制御部
１２１…利用者操作部
１２２…紙幣取扱部
１２３…硬貨取扱部
１２４…Ｔ／Ｃ取扱部
１２５…契約書取扱部
１２５ｂ…契約書格納部
１２６…明細書発行部
１２７ｃ…カード取扱部
１２８ｃ…音声案内部
１２９ｃ…通信部
２００…包装体
２１０…購入契約書
２２０…トラベラーズチェック
３００…ホストコンピュータ
４００…専用回線
【図１】
2009175778.tif 000003
【図２】
2009175778.tif 000004
【図３】
2009175778.tif 000005
【図４】
2009175778.tif 000006
【図５】
2009175778.tif 000007
【図６】
2009175778.tif 000008
【図７】
2009175778.tif 000009
【図８】
2009175778.tif 000010
【図９】
2009175778.tif 000011
【図１０】
2009175778.tif 000012